(57)【特許請求の範囲】
【請求項１】
ロール紙を収納するためのロール紙収納部と、
前記ロール紙収納部の一方を規定する第１側壁と、
前記ロール紙収納部の他方を規定する第２側壁と、
前記第１側壁に備えられ、前記第１側壁より所定量突出した突出位置から所定量退避した退避位置の間を前記ロール紙収納部の幅方向に進退するもので、前記ロール紙を付勢す
るためのロール紙付勢部材と、
前記ロール紙収納部に収納されたロール紙の外周面に接触し、前記ロール紙を繰り出し方向に回転させるための繰り出しローラとを有し、
前記繰り出しローラは、前記ローラ軸上を回転可能とすると共にスライド可能な状態で取り付けられているスライド部材と、前記スライド部材のスライド範囲を規定する規制部材と、前記スライド部材の外周を取り囲む状態に取り付けられたローラ本体と、前記スライド部材を前記第１側壁の側に向けて付勢する付勢部材を有し、前記ロール紙収納部の幅方向に掛け渡されているローラ軸に所定量だけスライド可能に取り付けられていることを特徴とするロール紙供給機構。
【請求項２】
請求項１に記載のロール紙供給機構において、
前記ロール紙付勢部材が前記ロール紙収納部の幅方向に進退する移動量と、前記繰り出しローラのスライド量がほぼ等しいことを特徴とするロール紙供給機構。
【請求項３】
請求項１または２に記載のロール紙供給機構を有していることを特徴とするロール紙プリンタ。
【発明の詳細な説明】
【技術分野】
【０００１】
本発明は、ロール紙収納部に横置き状態で転動可能にロール紙を収納し、ここから長尺状の記録紙を繰り出してプリンタの印字部などに向けて供給するロール紙供給機構に関する。更に詳しくは、収納されるロール紙の紙幅に応じてロール紙収納部の収納幅を変更することが可能な収納幅可変式ロール紙供給機構の改良技術に関する。
【背景技術】
【０００２】
レシートなどを発行するロール紙プリンタでは、記録媒体として、長尺状の記録紙をロール状に巻き付けた構成のロール紙が用いられる。ロール紙プリンタに搭載されているロール紙供給機構としては、上側から横置き状態で投入されたロール紙を転動可能に収納する、所謂、投げ込み式と呼ばれるロール紙収納部を備えたものが知られている。この種のロール紙供給機構としては、異なる紙幅のロール紙を収納できるように、ロール紙収納部の収納幅を規定している左右の側壁を移動できるようにした収納幅可変式のものが特許文献１に開示されている。
【０００３】
一方、投げ込み式のロール紙収納部では、ロール紙の慣性負荷、ロール紙とロール紙収納部の底面の間の摩擦力などに抗して、ロール紙を回転させて記録紙を繰り出す必要がある。紙送り速度を上げると、それに伴って紙送りローラに作用する紙送り負荷も大きくなり、紙送りに滑りが生じ、紙送り精度が低下するおそれがある。紙送り負荷を低減して、正確な紙送りを行うために、特許文献２に開示されているように、ロール紙収納部の底に、ロール紙を繰り出し方向に回転させるための繰り出しローラを配置したロール紙供給機構が提案されている。
【先行技術文献】
【特許文献】
【０００４】
【特許文献１】特開２００６−４４９００号公報
【特許文献２】特開２００７−２０３５６３号公報
【発明の概要】
【発明が解決しようとする課題】
【０００５】
従来の収納幅可変式ロール紙供給機構では、収納されるロール紙の紙幅に対応した位置にロール紙収納部の側壁を手動操作により移動して、収納幅を調整している。ロール紙の紙幅にはバラツキがあるので、このバラツキを考慮して収納幅を調整する必要がある。調整後の収納幅が狭すぎると、収納されたロール紙が側壁の側から強く押し付けられた状態になる。この結果、ロール紙から記録紙を繰り出すために大きな力が必要になり、ロール紙プリンタの紙送りローラなどに作用する紙送り負荷が過剰になってしまう。逆に調整後の収納幅が広すぎると、収納されたロール紙が左右にガタ付が生じ、繰り出される記録紙の蛇行、スキューなどの弊害が生ずる。
【０００６】
また、ロール紙収納部に繰り出しローラが配置されている場合には、繰り出しローラは一般に摩擦係数の高いラバーなどの素材から形成されているので、繰り出しローラに接触しているロール紙を収納幅方向に寄せるためには、これらの間の摩擦力に勝る側圧でロール紙を押し付ける必要がある。また、繰り出しローラに載った状態でロール紙を幅方向に寄せてガタ付きを無くすようにした場合には、ロール紙には、ロール紙収納部の側壁からの側圧に加えて、繰り出しローラとの間の摩擦力による側圧が作用するので、ロール紙から記録紙を繰り出して送り出すための紙送り負荷が過剰になってしまう。
【０００７】
本発明の課題は、ロール紙の紙幅にバラツキがある場合においても常に適切な側圧状態でロール紙を収納できるロール紙供給機構を提案することにある。
【０００８】
さらに、本発明の課題は、繰り出しローラが備わっている場合においても、常に適切な側圧状態でロール紙を収納できるロール紙供給機構を提案することにある。
【課題を解決するための手段】
【０００９】
本発明は、以下の適用例を有する。
（適用例１）
ロール紙を収納するためのロール紙収納部と、
前記ロール紙収納部の一方を規定する第１側壁と、
前記ロール紙収納部の他方を規定する第２側壁と、
前記第１側壁に備えられ、前記第１側壁より所定量突出した突出位置から所定量退避した退避位置の間を前記ロール紙収納部の幅方向に進退するもので、前記ロール紙を付勢するためのロール紙付勢部材と、
前記ロール紙収納部に収納されたロール紙の外周面に接触し、前記ロール紙を繰り出し
方向に回転させるための繰り出しローラを有し、
前記繰り出しローラは、前記ロール紙収納部の幅方向に掛け渡されているローラ軸に所定量だけスライド可能に取り付けられているロール紙供給機構。
（適用例２）
適用例１に記載のロール紙供給機構において、
前記繰り出しローラは、前記ローラ軸上を回転可能とすると共にスライド可能な状態で取り付けられているスライド部材と、前記スライド部材のスライド範囲を規定する規制部材と、前記スライド部材の外周を取り囲む状態に取り付けられたローラ本体と、前記スライド部材を前記第１側壁の側に向けて付勢する付勢部材を有するロール紙供給機構。
（適用例３）
適用例１または２に記載のロール紙供給機構において、
前記ロール紙付勢部材が前記ロール紙収納部の幅方向に進退する移動量と、前記繰り出しローラのスライド量がほぼ等しいことを特徴とするロール紙供給機構。
（適用例４）
適用例１ないし３のうちのいずれかに記載のロール紙供給機構を有していることを特徴とするロール紙プリンタ。
【００１０】
本発明の収納幅可変式ロール紙供給機構において、例えば、それまでとは異なる紙幅のロール紙を収納する場合には、ロックレバーを操作してロック解除位置に移動して、第１側壁を移動可能にする。この状態で、第１側壁を移動して、収納対象のロール紙の紙幅に対応した収納幅となる位置に位置決めする。この後に、ロックレバーを操作してロック位置に戻し、第１側壁を固定する。
【００１１】
この収納幅調整操作においては、ロックレバーをロック解除位置に移動したときに、保持機構によって、ロール紙付勢部材が突出位置から退避位置の側に向けて所定量だけ後退した中立位置に保持される。第１側壁を移動させた後にロックレバーをロック位置に戻すと、保持機構による保持が解除されてロール紙付勢部材が弾性力によって突出位置の側に付勢された状態に戻る。ロール紙付勢部材の可動範囲を、ロール紙の紙幅のバラツキを考慮して設定しておけば、収納されるロール紙の紙幅にバラツキがあっても、常に、ロール紙付勢部材によってロール紙を収納幅方向に所定の側圧で押し付けた状態を形成できる。
【００１２】
ここで、前記保持機構を、ロックレバーに形成したレバー側係合部と、ロール紙付勢部材に形成した付勢部材側係合部とを備えた構成とし、ロックレバーがロック解除位置に移動すると、レバー側係合部が付勢部材側係合部に係合して、弾性力に抗してロール紙付勢部材を中間位置に保持させるようにすればよい。このような係合式の連動機構を採用すれば、ロール紙付勢部材を中間位置に保持するための保持機構として別部材を配置する必要がない。
【００１３】
また、ロール紙付勢部材の中立位置は、その突出位置および退避位置の間の中心位置としておけばよい。このようにすれば、ロール紙の紙幅のバラツキが、狭い方向および広い方向のいずれであっても対応できる。
【００１４】
なお、第１側壁も可動式の側壁とすることができる。この場合には、第２側壁を、第１側壁に連動して、当該第１側壁とは反対方向に同一量だけ収納幅方向に移動させる連動機構を配置してもよい。
【００１５】
次に、前記ロール紙収納部に収納されたロール紙の外周面に接触し、当該ロール紙を記録紙繰り出し方向に回転させる繰り出しローラを有している場合には、当該繰り出しローラを、収納幅方向に掛け渡されているローラ軸と、収納幅方向に所定量だけスライド可能な状態でローラ軸に一体回転するように取り付けられているローラ本体と、当該ローラ本体を第１側壁の側に付勢している付勢部材とを備えた構成とすることが望ましい。
【００１６】
繰り出しローラにロール紙を載せた状態で、第１側壁を移動して収納幅を調整する際には、繰り出しローラとロール紙の間の摩擦力に勝る大きな力を第１側壁に加えてロール紙を他方の第２側壁の側に寄せてガタ付きの無い収納状態を形成する必要がある。このため、ロール紙には、第１側壁のロール紙付勢部材による付勢力および繰り出しローラとの間の摩擦力が作用するので、ロール紙には大きな側圧が作用した状態になる。本発明では、ローラ本体が収納幅方向にスライド可能となっているので、ロール紙を収納幅方向に寄せる際にはローラ本体が一緒にスライドする。よって、ロール紙を収納幅方向に寄せてガタ付きの無い状態にする操作を簡単に行うことができる。また、ロール紙に大きな側圧が作用した状態が形成され、ここから繰り出される記録紙を送り出す際に生ずる送り負荷が過剰になってしまうという弊害も防止できる。
【００１７】
ここで、ローラ本体のスライド量は、ロール紙付勢部材の収納幅方向への移動量と同一にしておけばよい。
【００１８】
次に、本発明のロール紙プリンタは、上記構成のロール紙供給機構を有していることを特徴としている。紙幅の異なるロール紙が収納された場合においても、紙送り負荷の増加、記録紙の蛇行などの弊害が発生しない。よって、記録紙の送り動作を正確に行うことができるので、ロール紙プリンタにおける記録紙の送り不良に起因する印刷品位の低下を防止できる。
【発明の効果】
【００１９】
本発明のロール紙供給機構では、ロール紙収納部の収納幅を調整するために収納幅方向に第１側壁を移動させる際に、当該第１側壁に取り付けられているロール紙付勢部材を突出位置および退避位置の間の中立位置に保持するようにしている。したがって、調整後の位置においてロール紙付勢部材は突出方向および退避方向に移動代が残っている。このため、収納されるロール紙の紙幅にバラツキがあっても、両方向への移動代によって紙幅のバラツキを吸収できる。よって、常に、ガタ付きが無く、所定の付勢力で押し付けられた状態でロール紙を収納可能な収納幅可変式ロール紙供給機構を実現できる。
【図面の簡単な説明】
【００２０】
【図１】本発明を適用したロール紙プリンタの外観斜視図である。
【図２】図１のロール紙プリンタの開閉蓋を開けた状態の外観斜視図である。
【図３】図１のロール紙プリンタの内部構造を示す説明図である。
【図４】図１のロール紙プリンタのロール紙供給機構を示す斜視図である。
【図５】図４のロール紙供給機構の第１側壁の分解斜視図である。
【図６】図４のロール紙供給機構の第１側壁の内部構造を示す説明図である。
【図７】図４のロール紙供給機構のロックレバーの動きを示す説明図である。
【図８】図４のロール紙供給機構の繰り出しローラの縦断面図である。
【発明を実施するための形態】
【００２１】
以下に、図面を参照して、本発明を適用したロール紙供給機構を備えたロール紙プリンタの実施の形態を説明する。
【００２２】
（全体構成）
図１は本発明を適用したインクジェット式のロール紙プリンタの外観斜視図であり、図２はその開閉蓋を全開にした状態の外観斜視図である。ロール紙プリンタ１は全体としてほぼ直方体形状をしたプリンタ本体２と、当該プリンタ本体２の前面に取り付けた開閉蓋３とを有している。プリンタ本体２の外装ケース２ａの前面には所定幅の記録紙排出口４が形成されている。記録紙排出口４の下側には排紙ガイド５が前方に突出しており、当該排紙ガイド５の側方には蓋開閉レバー６が配置されている。外装ケース２ａにおける排紙ガイド５および蓋開閉レバー６の下側には、ロール紙出し入れ用の矩形の開口部２ｂが形成されており、この開口部２ｂが開閉蓋３の蓋ケース３ａによって封鎖されている。
【００２３】
蓋開閉レバー６を操作すると開閉蓋３のロックが解除される。ロック解除後、排紙ガイド５を前方に引くと、開閉蓋３はその下端部を中心として前方にほぼ水平となるまで開く。開閉蓋３が開くと、図２に示すように、プリンタ内部に組み込まれているロール紙供給機構１０のロール紙収納部１１が開放状態となる。同時に、ロール紙収納部１１から記録紙排出口４に到る記録紙搬送経路が開放状態となり、プリンタ前方からロール紙の交換作業などを簡単に行うことができるようになる。なお、図２においては、開閉蓋３の蓋ケース３ａおよび蓋開閉レバー６を省略してある。
【００２４】
図３はロール紙プリンタ１の内部構造を示す説明図である。ロール紙プリンタ１の内部に組み込まれているロール紙供給機構１０は、プリンタ本体２の幅方向の中央部分に配置されたロール紙収納部１１を備えている。ロール紙収納部１１にはロール紙１２がプリンタ幅方向に向いた横置き状態で転動可能に収納される。ロール紙１２は記録紙１２ａ（図においては太い一点鎖線で示してある。）をロール状に巻き取った構成のものである。ロール紙収納部１１に収納されているロール紙１２から繰り出される長尺状の記録紙１２ａは、斜め上方に引き出された後に湾曲状の紙送りガイド１４によって湾曲させられた後に水平方向に延びている搬送路１５（記録紙１２ａを示す一線鎖線と同一の経路）に沿って搬送され、記録紙排出口４から排出される。
【００２５】
水平方向に延びている搬送路１５の部分はロール紙供給機構１０の真上に位置しており、当該搬送路部分には、インクジェットヘッド１８およびプラテン１９が一定のギャップで対向配置されており、プラテン１９によってインクジェットヘッド１８の印刷位置２０が規定されている。
【００２６】
搬送路１５におけるインクジェットヘッド１８の上流側には上流側紙送りローラ２１が配置されており、この上流側紙送りローラ２１は紙送りモータ２２によって回転駆動される。この上流側紙送りローラ２１には記録紙１２ａを介して押えローラ２３が連れ回りするように押し付けられている。インクジェットヘッド１８の下流側には、上流側紙送りローラ２１と同期して回転する下流側紙送りローラ２４が配置されており、この下流側紙送りローラ２４には記録紙１２ａを介して押えローラ２５が連れ回りするように押し付けられている。記録紙排出口４の近傍にはオートカッタ２６が配置されており、印刷後の記録紙１２ａの先端部分が所定の長さに幅方向に切断されるようになっている。
【００２７】
紙送りガイド１４は所定の範囲で移動可能な状態で不図示のプリンタフレームに取り付けられており、ばね部材２７によって記録紙１２ａに張力を与える方向に常に付勢されている。これによって、搬送路１５に沿って引き出されている記録紙１２ａは一定の引張り状態に保持される。紙送りガイド１４の近傍にはガイドセンサ２８が配置されており、記録紙１２ａに弛みが発生して紙送りガイド１４がばね部材２７による付勢方向に移動すると、この移動がガイドセンサ２８によって検出されるようになっている。
【００２８】
ロール紙供給機構１０のロール紙収納部１１は、１本の繰り出しローラ３０と、複数本、本例では３本の第１〜第３ガイドローラ３１、３２、３３とを備えている。繰り出しローラ３０は繰り出しモータ３４によって回転駆動される。３本の第１〜第３ガイドローラ３１〜３３は回転自在の状態で支持されている。
【００２９】
ここで、ロール紙プリンタ１の駆動制御部３５は、不図示のコンピュータシステムなどの上位機器からの指令に基づき各部の駆動を制御する。印刷動作においては、紙送りモータ２２を駆動して上流側紙送りローラ２１および下流側紙送りローラ２４を回転駆動すると共に、これに同期させて、ロール紙供給機構１０の繰り出しモータ３４を回転駆動して、記録紙１２ａの搬送動作を行う。また、記録紙１２ａの搬送に同期させてインクジェットヘッド１８を駆動して印刷位置２０を通過する記録紙１２ａの表面に印刷を施す。印刷終了後においては、オートカッタ２６を駆動して記録紙１２ａを切断する。これにより、記録紙排出口４からは、記録紙１２ａを切断することによって得られる一定長さのレシート、チケットなどが発行されることになる。
【００３０】
駆動制御部３５では、ガイドセンサ２８からの検出信号に基づき、記録紙１２ａが、弛みが生ずることなく一定の張力状態で搬送されるように、上流側紙送りローラ２１および下流側紙送りローラ２４に同期させて、ロール紙供給機構１０の繰り出しローラ３０の駆動を制御する。
【００３１】
（ロール紙供給機構）
図４（ａ）はロール紙供給機構１０の主要部分を取り出して示す斜視図である。ロール紙供給機構１０のロール紙収納部１１は、その収納幅を規定している左右の第１側壁４１および第２側壁４２を備えている。第１側壁４１および第２側壁４２の前端部分は、収納幅方向Ａ（プリンタ幅方向）に延びる状態で不図示のプリンタフレームに取り付けたガイド板４３に沿ってスライド可能である。また、第１側板４１および第２側板４２の前側下端部分および後側部分を貫通して、収納幅方向に水平に架け渡したローラ軸３０ａ、３１ａ、３２ａ、３３ａが延びている。第１、第２側壁４１、４２は、これらのローラ軸３０ａ〜３３ａに沿って収納幅方向にスライド可能である。
【００３２】
ローラ軸３０ａは繰り出しローラ３０のローラ軸であり、その収納幅方向の中央の部位には同軸状態で繰り出しローラ３０が取り付けられている。このローラ軸３０ａの両端は不図示のプリンタフレームによって回転自在の状態で支持されている。３本のローラ軸３１ａ〜３３ａはそれぞれ第１〜第３ガイドローラ３１〜３３のローラ軸であり、それぞれ両端が不図示のプリンタフレームによって支持されている。第１側壁４１および第２側壁４２の下端部の内側縁には一定幅の底板部分４１Ａ、４２Ａが形成されている。これらの底板部分４１Ａ、４２Ａには、各ローラ軸３１ａ〜３３ａに同軸状態で回転自在に支持されている第１〜第３ガイドローラ３１〜３３がそれぞれ保持されており、第１側壁４１および第２側壁４２と一緒に収納幅方向に移動可能である。
【００３３】
次に、第１側壁４１には、ロックレバー４５およびロール紙付勢部材４６が組み込まれている。第１側壁４１の前側の上端部分には、ロックレバー４５の操作端部分４５ａが露出している。ロックレバー４５は第１側壁４１が収納幅方向に移動しないように、当該第１側壁４１をガイド板４３にロックしている。その操作端部分４５ａを手動操作によって押し込むと、ロックレバー４５によるロックが解除され第１側壁４１の収納幅方向への移動が可能になる。また、第１側壁４１における内側の表面４１ａには略矩形の開口窓４１ｂが形成されており、ここからロール紙収納部１１内に向けて、先端部が台形状断面のロール紙付勢部材４６が突出している。ロール紙付勢部材４６は弾性力によって図４に示す突出位置４６Ａに向けて常に付勢されており、その先端面４６ａが第１側壁４１の表面４１ａに一致する退避位置まで押し込み可能となっている。
【００３４】
図４（ｂ）には、第１側壁４１および第２側壁４２の連動機構を示してある。連動機構５０は、定まった位置に回転自在の状態で支持されているピニオン５１と、このピニオン５１に両側から噛み合っている第１ラック５２および第２ラック５３を備えている。第１、第２ラック５２、５３は収納幅方向に延びており、第１ラック５２は第１側壁４１に連結されており、第２ラック５３は第２側壁４２に連結されている。第１側壁４１を収納幅方向に移動すると、これに連動して、第２側壁４２が反対方向に同一量だけ移動する。なお、連動機構として別の機構を用いることもできる。また、第１側壁４１のみを可動壁とした第２側壁を固定壁とすることも可能である。第１側壁４１と第２側壁４２の位置を左右入れ替えた配置としてもよいことは勿論である。
【００３５】
（ロックレバーおよびロール紙付勢部材）
図５は第１側壁４１の主要部分の分解斜視図である。第１側壁４１は、本体ユニット６１と、この本体ユニット６１に取り付けた側板６２と、本体ユニット６１の内部に組み込まれているロックレバー４５およびロール紙付勢部材４６とを備えている。本体ユニット６１は、基本的に、内側の表面４１ａが形成されている側板部分６３と、この側板部分６３の外周縁部分から直角に延びる外周板部分６４とから形成されている。側板６２は外周板部分６４に対応した輪郭形状の板であり、不図示のビスなどによって当該外周板部分６４に締結固定されている。
【００３６】
図６（ａ）は本体ユニット６１にロックレバー４５およびロール紙付勢部材４６が組みつけられた状態を示す側面図である。図６（ｂ）および（ｃ）は、図６（ａ）のｂ−ｂ線で切断した部分の断面図であり、ロール紙付勢部材４６が突出位置４６Ａおよび退避位置４６Ｂにある状態をそれぞれ示してある。
【００３７】
図５および図６を参照して説明すると、ロックレバー４５は、本体ユニット６１の側板部分６３の裏面側から垂直に起立している支軸６５を中心として上下方向に旋回可能に取り付けられている。ロックレバー４５における支軸６５から前方に延びている腕部４５ｂの先は上方に折れ曲がった操作端部分４５ａとなっている。この操作端部分４５ａが本体ユニット６１の外周側板部分６４に開けた開口部６４ａから露出している。ロックレバー４５における支軸６５から下方および後方に延びている腕部４５ｃの先にはロック爪４５ｄが形成されている。
【００３８】
ロックレバー４５は不図示のばね部材によって図６（ａ）に示す矢印Ｂの方向に常に付勢されている。このロック爪４５ｄに対峙するガイド板４３の側には、ロール紙収納部１１の収納幅方向に沿って所定の間隔で複数個所にノッチ４３ａが形成されている。ばね力によってロックレバー４５は、そのロック爪４５ｄが一つのノッチ４３ａに係止されたロック位置４５Ａに保持されている。ロックレバー４５の操作端部分４５ａを手動操作によって押し込むと、ロックレバー４５を、支軸６５を中心としてばね力に逆らって矢印Ｂとは逆方向に旋回させることができる。ロックレバー４５が矢印Ｂとは逆向きに旋回すると、ロック爪４５ｄがノッチ４３ａから外れ、第１側壁４１を収納幅方向に移動させることが可能になる。
【００３９】
次に、ロール紙付勢部材４６は細長い矩形の台形断面状の先端部４６ｂを備えており、この先端部４６ｂが本体ユニット６１の側板部分６３に形成されている開口窓４１ｂからロール紙収納部１１内に突出している。図５に示すように、この先端部４６ｂの裏面には円筒状のばね受け４６ｃが形成されている。このばね受け４６ｃに対峙する側板６２の部位にも円筒状のばね受け６２ａが形成されており、これらのばね受け４６ｃおよび６２ａの間には圧縮状態でコイルばね６６が装着されている。ロール紙付勢部材４６には、本体ユニット６１の開口縁部に裏面側から当接可能な当接板４６ｄが形成されており、この当接板４６ｄによってロール紙付勢部材４６の突出位置４６Ａが規定されている。この当接板４６ｄの隣接位置には、本体ユニット６１の開口縁部から裏面側に突出している当接板６７が形成されており、この当接板６７によってロール紙付勢部材４６の退避位置４６Ｂが規定されている。図６（ｃ）にはロール紙付勢部材４６が退避位置４６Ｂにある状態を示してあり、この位置においては、ロール紙付勢部材４６の先端面４６ａが第１側壁４１の内側の表面４１ａと略同一平面上に位置する。これらの当接板４６ｄ、６７によって規定される可動範囲内で、ロール紙付勢部材４６はロール紙収納部１１の収納幅方向に移動可能である。
【００４０】
ここで、ロール紙付勢部材４６はロックレバー４５の下側の腕部４５ｃの側に向けて突出している付勢部材側係合部４６ｅが形成されている。この付勢部材側係合部４６ｅの先端には、左右のテーパ面４６ｆ、４６ｇによって先細り形状となっている。この付勢部材側係合部４６ｅの先に位置しているロックレバー４５の腕部４５ｃの部位には、付勢部材側係合部４６ｅに向けて開口している溝形断面のレバー側係合部４５ｅが形成されている。このレバー側係合部４５ｅの左右の先端部４５ｆ、４５ｇがそれぞれ、ロール紙付勢部材側の左右のテーパ面４６ｆ、４６ｇに対峙している。
【００４１】
図７（ａ）および（ｂ）は、図６（ａ）、（ｂ）と同様に、本体ユニット６１にロックレバー４５およびロール紙付勢部材４６が組みつけられた状態を示す側面図、および、そのｂ−ｂ線で切断した部分の断面図である。ロックレバー４５の操作端部分４５ａを手動操作によって押し込むと、ロックレバー４５は支軸６５を中心として旋回して、その下側の腕部４５ｃがガイド板４３から離れる方向に移動する。この結果、ロックレバー４５は、腕部４５ｃの先端のロック爪４５ｄがガイド板４３のノッチ４３ａから離れたロック解除位置４５Ｂの状態になる。この状態では、第１側板４１をロール紙収納部１１の収納幅方向に移動させることが可能である。
【００４２】
また、ロックレバー４５がロック解除位置４５Ｂに向けて旋回すると、その腕部４５ｃのレバー側係合部４５ｅの左右の先端部４５ｆ、４５ｇが、ロール紙付勢部材４６の付勢部材側係合部４６ｅの左右のテーパ面４６ｆ、４６ｇに接近する方向に移動する。ロール紙付勢部材４６が図６（ｂ）に示す突出位置４６Ａに突出している状態では、右側の先端部４５ｇが右側のテーパ面４６ｇに当たり、当該テーパ面４６ｇを左側に押し込みながら移動する。逆に、ロール紙付勢部材４６が図６（ｃ）に示す退避位置４６Ｂに退避している状態では、左側の先端部４５ｆが左側のテーパ面４６ｆに当たり、当該テーパ面４６ｆを右側に押し込みながら移動する。
【００４３】
ロール紙付勢部材４６がいずれの位置４６Ａ、４６Ｂにある場合においても、ロックレバー４５をロック解除位置４５Ｂに押し込むと、ロール紙付勢部材４６の付勢部材側係合部４６ｅは図７（ｂ）に示すように、ロックレバー４５のレバー側係合部４５ｅの溝内に差し込まれた状態になる。本例では、この状態でのロール紙付勢部材４６の位置が、その突出位置４６Ａと退避位置４６Ｂの間の中心に位置する中立位置４６Ｃとなるように規定されている。勿論、中立位置４６Ｃから左右にずれた中間位置となるようにしてもよい。このように、本例では、レバー側係合部４５ｅと付勢部材側係合部４６ｅとによって、ロール紙付勢部材４６を中立位置４６Ｃに保持する保持機構が構成されている。
【００４４】
（繰り出しローラ）
次に、図８は繰り出しローラ３０を示す縦断面図である。繰り出しローラ３０は、ローラ軸３０ａに対して、一体回転すると共に軸線方向（収納幅方向）にスライド可能な状態で取り付けられているスライド円筒３０ｂと、このスライド円筒３０ｂのスライド範囲を規定している左右の止め輪３０ｃ、３０ｄと、スライド円筒３０ｂの外周を同心状に取り囲む状態に取り付けたラバー製のローラ本体３０ｅとを備えている。スライド円筒３０ｂは不図示のばね部材によって常に第１側壁４１の側に向けて付勢されている。
【００４５】
この構造の繰り出しローラ３０を第２側壁４２の側に押すと、図８（ｂ）に示すように、ローラ本体３０ｅがスライド円筒３０ｂと一緒に矢印の方向にスライド可能である。このスライド幅Ｌは、ロール紙付勢部材４６の可動幅、すなわち、突出位置４６Ａから退避位置４６Ｂまでの距離と同一となるように設定されている。場合によっては、これらを異なる寸法としておくことも可能である。
【００４６】
（収納幅の変更時の動作）
この構成のロール紙プリンタ１のロール紙供給機構１０におけるロール紙収納部１１の収納幅を変更する際の動作を説明する。ロール紙収納部１１が空の状態では、図６（ａ）および（ｂ）に示すように、ロックレバー４５がロック位置４５Ａにあり、ロール紙付勢部材４６は突出位置４６Ａにある。この状態において、第１側壁４１の前端上部から露出しているロックレバー４５の操作端部分４５ａを押し込み、ロックレバー４５をロック解除位置４５Ｂに移動する（図７参照）。この結果、第１側壁４１が収納幅方向に移動可能になる。また、ロックレバー４５のレバー側係合部４５ｅによってロール紙付勢部材４６の付勢部材側係合部４６ｅが押されて、ロール紙付勢部材４６は突出位置４６Ａから退避位置４６Ｂ（図７（ｂ）参照）に向けて押し込まれて中立位置４６Ｃの状態に保持される。
【００４７】
ロックレバー４５を押し込みながら第１側壁４１を収納幅方向に移動させて、ロックレバー４５のロック爪４５ｄを、これから収納するロール紙の紙幅に対応するガイド板４３のノッチ４３ａに位置決めする。この結果、ロール紙収納部１１の収納幅は、第１側壁４１における中立位置４６Ｃに位置しているロール紙付勢部材４６の先端面４６ａと、これに対峙している反対側の第２側壁４２の表面４２ａとによって規定される。
【００４８】
この後に、ロックレバー４５の押し込みを解除すると、ロックレバー４５がロック位置４５Ａに復帰し、第１側壁４１の移動が阻止されたロック状態に戻る。このとき、ロール紙付勢部材４６はロックレバー４５との係合から開放されるので、ばね力によって突出位置４６Ａに突出した状態に戻る。
【００４９】
収納幅を調整した後にロール紙１２を収納すると、ロール紙付勢部材４６は突出位置４６Ａから中立位置４６Ｃに押し込まれた状態で、ロール紙１２を押し付けた状態になる。ロール紙１２の紙幅にバラツキがある場合、例えば、紙幅が狭い場合には、ロール紙付勢部材４６は中立位置４６Ｃよりも突出位置４６Ａの側に突出した状態でロール紙１２の端面に押し付けられた状態になり、これらの間の隙間が生ずることがなく、所定の側圧でロール紙１２が保持される。また、紙幅が広い場合には、ロール紙付勢部材４６は中立位置４６Ｃよりも退避位置４６Ｂの側に押し込まれた状態でロール紙１２の端面に押し付けられた状態になり、この場合にも所定の側圧でロール紙１２が保持され、側圧が過剰になることはない。
【００５０】
このように、ロール紙１２の紙幅のバラツキは、ロール紙付勢部材４６の中立位置４６Ｃから突出位置４６Ａおよび退避位置４６Ｂまでの移動代によって吸収される。したがって、ロール紙付勢部材４６の可動範囲をロール紙１２の紙幅のバラツキを吸収できるように設定してくことにより、紙幅にバラツキがあっても常に所定の側圧でロール紙１２を保持できる。よって、収納幅方向にロール紙１２がガタ付くことを防止でき、また、過剰な側圧でロール紙１２が保持された状態になってしまうことも回避できる。
【００５１】
さらに、本例では、繰り出しローラ３０のローラ本体３０ｅが収納幅方向にスライド可能となっている。したがって、繰り出しローラ３０に載せたロール紙１２がロール紙付勢部材４６によって押されて第２側壁４２の側に寄せられた場合に、ロール紙１２と一緒にローラ本体３０ｅが移動する。ローラ本体３０ｅが移動しない場合には、ロール紙１２とローラ本体３０ｅの間の摩擦力がロール紙１２に側圧となって作用し、ロール紙１２の側圧が過剰になり、紙送りローラに作用する送り負荷が増加して記録紙１２ａの送りを正確に行うことができなくなる場合がある。本例では、繰り出しローラ３０のローラ本体３０ｅが収納幅方向に移動するので、側圧の増加を抑制でき、このような送り負荷の増加を回避できる。
【符号の説明】
【００５２】
１  ロール紙プリンタ、２  プリンタ本体、２ａ  外装ケース、３  開閉蓋、３ａ  蓋ケース、４  記録紙排出口、５  排紙ガイド、６  蓋開閉レバー、１０  ロール紙供給機構、１１  ロール紙収納部、１２  ロール紙、１２ａ  記録紙、１４  紙送りガイド、１５  搬送路、１８  インクジェットヘッド、１９  プラテン、２０  印刷位置、２１  上流側紙送りローラ、２２  紙送りモータ、２３  押えローラ、２４  下流側紙送りローラ、２５  押えローラ、２６  オートカッタ、２７  ばね部材、２８  ガイドセンサ、３０  繰り出しローラ、３０ａ  ローラ軸、３０ｂ  スライド円筒、３０ｃ，３０ｄ  止め輪、３０ｅ  ローラ本体、３１  第１ガイドローラ、３２  第２ガイドローラ、３３  第３ガイドローラ、３１ａ〜３３ａ  ローラ軸、３４  繰り出しモータ、３５  駆動制御部、４１  第１側壁、４１ａ  表面、４１ｂ  開口窓、４２  第２側壁、４２ａ  表面、４１Ａ，４２Ａ    底板部分、４３  ガイド板、４３ａ  ノッチ、４５  ロックレバー、４５Ａ  ロック位置、４５Ｂ  ロック解除位置、４５ａ  先端部、４５ｂ  腕部、４５ｃ  腕部、４５ｄ  ロック爪、４５ｅ  レバー側係合部、４５ｆ，４５ｇ  先端部、４６  ロール紙付勢部材、４６Ａ  突出位置、４６Ｂ  退避位置、４６Ｃ  中立位置、４６ａ  先端面、４６ｂ  先端部、４６ｃ  ばね受け、４６ｄ  当接板、４６ｅ  付勢部材側係合部、４６ｆ，４６ｇ  テーパ面、５０  連動機構、５１  ピニオン、５２  第１ラック、５３  第２ラック、６１  本体ユニット、６２  側板、６２ａ  ばね受け、６３  側板部分、６４  外周側板部分、６４ａ  開口部、６５  支軸、６６  コイルばね、６７  当接板。
【図１】
0005578252.tif 000002
【図２】
0005578252.tif 000003
【図３】
0005578252.tif 000004
【図４】
0005578252.tif 000005
【図５】
0005578252.tif 000006
【図６】
0005578252.tif 000007
【図７】
0005578252.tif 000008
【図８】
0005578252.tif 000009